(57)【要約】【課題】何度も書き換えすることができ、廃棄数を減らすことを可能にしたポップ広告カードを提供する。【解決手段】カード本体１に、書き消し可能シート２を貼り付け、この書き消し可能シート２に広告コピーＣを記入する。必要に応じて広告コピーＣを消去し、書き換えることができるようになっている。書き消し可能なシート２はカード本体１の全体又は一部に貼り付けられる。【選択図】図１
2011215483.tif 000002
【特許請求の範囲】
【請求項１】
カード本体と、
前記カード本体に貼り付けられた、マーカーにより筆記可能で、拭き取りにより消去可能な書き消し可能シートと、を備えたことを特徴とするをポップ広告カード。
【請求項２】
前記書き消し可能シートは、前記カード本体の一部を露出した状態で該カード本体に貼り付けられ、該カード本体の露出部分に変化の少ない固定コピーを記入し、前記書き消し可能シートに変化の多い変化コピーを記入するようにしたことを特徴とする請求項１記載のポップ広告カード。
【請求項３】
前記書き消し可能シートは透明部材であり、この透明な書き消し可能シートを前記カード本体に貼り付け、前記カード本体に変化の少ない固定コピーを記入し、この固定コピーを前記書き消し可能シートを通して見るようにし、前記書き消し可能シートに変化の多い変化コピーを記入するようにしたことを特徴とする請求項１記載のポップ広告カード。
【請求項４】
前記書き消し可能シートは、ホワイトボードシートであることを特徴とする請求項１ないし３のいずれかに記載のポップ広告カード。
【請求項５】
前記書き消し可能シートに接着剤が施されていることを特徴とする請求項１ないし４のいずれかに記載のポップ広告カード。
【発明の詳細な説明】
【技術分野】
【０００１】
本発明は、店舗において商品の広告に使用されるポップ広告カードに関し、特に、自由に書き消し可能なポップ広告カードに関する。
【背景技術】
【０００２】
ポップ広告（ＰＯＰ）は、厚紙などで形成されたカードに、店舗において推奨したい商品の商品名、価格、キャッチコピー、イラストなどの所望の文字や図形を手描きし、推奨したい商品を店員に代わってアピールし、購買意欲を促進させるものであり、数ある広告媒体の中でも安価で手軽なツールとして広く利用されている。
【発明の概要】
【発明が解決しようとする課題】
【０００３】
従来のポップ広告カードは、一度書き込むと簡単に消すことができず、書き換えることが困難であるため、広告期間が終わると（一日で終わる場合もある）廃棄するしかなく、新たなポップ広告カードを用いてこれに書き込むようにしている。厚紙等のポップ広告カードは、一枚一枚は安価であるため、無造作に廃棄しているが、数が増えるとコストもかかるばかりでなく、最初から手描きする必要があるため、手間もかかるという問題があった。
【０００４】
本発明は、このような課題を解決するためになされたもので、何度も書き換えすることができ、廃棄数を減らすことを可能にしたポップ広告カードを提供することを目的とする。
【課題を解決するための手段】
【０００５】
上記課題を解決するため、請求項１に記載のポップ広告カードは、カード本体と、前記カード本体に貼り付けられた書き消し可能シートと、を備えたことを特徴とするものである。
【０００６】
請求項２に記載のポップ広告カードは、前記書き消し可能シートは、前記カード本体の一部を露出した状態で該カード本体に貼り付けられ、該カード本体の露出部分に変化の少ない固定コピーを記入し、前記書き消し可能シートに変化の多い変化コピーを記入するようにしたことを特徴とするものである。
【０００７】
請求項３に記載のポップ広告カードは、前記書き消し可能シートは透明部材であり、この透明な書き消し可能シートを前記カード本体に貼り付け、前記カード本体に変化の少ない固定コピーを記入し、この固定コピーを前記書き消し可能シートを通して見るようにし、前記書き消し可能シートに変化の多い変化コピーを記入するようにしたことを特徴とするものである。
【０００８】
請求項４に記載のポップ広告カードは、前記書き消し可能シートは、ホワイトボードシートであることを特徴とするものである。
【０００９】
請求項５に記載のポップ広告カードは、前記書き消し可能シートに接着剤が施されていることを特徴とするものである。
【発明の効果】
【００１０】
本発明によれば、書き消し可能シートを貼り付けるだけで、何度も書き換えすることができ、廃棄数を減らすことを可能にし、ポップ広告の低コスト化および省資源化を図ることができる。
【図面の簡単な説明】
【００１１】
【図１】（ａ）は本発明のポップ広告カードの第１実施形態を示す正面図、（ｂ）は縦断側面図である。
【図２】（ａ）は本発明のポップ広告カードの第２実施形態を示す正面図、（ｂ）は縦断側面図である。
【図３】（ａ）は本発明のポップ広告カードの第３実施形態を示す正面図、（ｂ）は縦断側面図である。
【発明を実施するための形態】
【００１２】
以下、図面を参照して本発明に係るポップ広告カードの実施形態を説明する。
図１は、本発明のポップ広告カードの第１実施形態を示す正面図、図２は、図１の縦断側面図である。
【００１３】
図１、図２に示すように、１は、厚紙等により形成されたカード本体、２はこのカード本体１に貼り付けられた、書き消し可能シートである。カード本体１としては、厚紙のほか、プラスチック板、木板あるいは金属薄板等、所望の板が用いられる。書き消し可能シート２としては、シートタイプのホワイトボードのように、油性インクを使用するマーカーで文字、図形などを筆記することができ、フェルト布等の乾燥布からなる字消しにより簡単に拭き取り消去することができるシートが用いられる。この書き消し可能シート２をカード本体１に接着剤を介して貼り付けることにより、ポップ広告カードＰが完成する。
【００１４】
このポップ広告カードＰの書き消し可能シート２にキャッチコピー、説明文、商品名、価格、イラスト等、所望の広告コピーＣを手描きで記入し、ポップ広告として使用する。必要に応じて一部又は全部を消去し、新たに書き換えることができる。従来のポップ広告カードは、価格が変われば廃棄して新たなポップ広告カードを使用しているが、本実施形態のポップ広告カードでは何度も書き換えができるので、廃棄しなくて済み、ポップ広告のコスト低減および広告コピー作成の手間を減らすことができる。
【００１５】
図２は、第２実施形態のポップ広告カードを示す。
第２実施形態では、カード本体１の一部に書き消し可能シート２を貼り付けたものである。図示の例では、カード本体１のほぼ下半分に書き消し可能シート２を貼り付けているが、カード本体１のどの部分に貼り付けてもよい。この第２実施形態のポップ広告カードＡは、以下のように使用する。
【００１６】
書き消し可能シート２を貼り付けていない、カード本体１の露出部分１aに比較的変化が少ない広告コピー（以下、固定コピーＣ１と称す）の記入箇所として使用する。固定コピーＣ１としては、比較的長期間そのまま店頭で表示することができる広告コピー、例えば、商品名、キャッチコピー、イラストなどがあり、これらは手描きでもよいし、予めカード本体１の露出部分１aに印刷しておいてもよい。そして、書き消し可能シート２には比較的変化が多い広告コピー（以下、変化コピーＣ２と称す）記入箇所として使用する。変化コピーＣ２としては、例えば価格、特売期間などがあり、このような変化コピーＣ２は、変化の都度書き換えすることができる。本実施形態のポップ広告カードも、書き消し可能シート２の部分で何度も書き換えができるので、廃棄しなくて済み、ポップ広告のコスト低減および広告コピー作成の手間を減らすことができる。
【００１７】
図３は、第３実施形態のポップ広告カードを示す。
第３実施形態では、カード本体１の全体に透明な書き消し可能シート２を貼り付けたものである。この第３実施形態のポップ広告カードは、以下のように使用する。
【００１８】
カード本体１は、固定コピーＣ１の記入箇所として使用するもので、比較的長期間そのまま店頭で表示することができる、例えば、商品名、キャッチコピー、イラストなどは、手描きあるいは印刷によりカード本体１に記入しておく。そして、透明な書き消し可能シート２は、例えば価格、特売期間等の変化コピーを記入し、必要に応じて書き換えする。固定コピーは、透明な書き消し可能シート２を透して外から見ることができる。本実施形態のポップ広告カードも、書き消し可能シート２の部分で何度も書き換えができるので、廃棄しなくて済み、ポップ広告のコスト低減および広告コピー作成の手間を減らすことができる。また、透明な書き消し可能シート２で覆われているので、固定コピーＣ１の部分が汚れたり損傷することがなく、常に良好な外観を保つことができる。
【００１９】
書き消し可能シート２としては、ホワイトボードシートが好適に用いられるが、筆記・消去が可能であれば、どのようなプラスチックフィルム又はプラスチックシートを用いてもよい。必要に応じて、書き消し可能シート２の裏面にはあらかじめ接着剤を施しておくと、カード本体１に簡単に貼り付けすることができる。
【符号の説明】
【００２０】
１    カード本体
２    書き消し可能シート
Ｐ    ポップ広告カード
Ｃ    広告コピー
Ｃ１  固定コピー
Ｃ２  変化コピー
【図１】
2011215483.tif 000003
【図２】
2011215483.tif 000004
【図３】
2011215483.tif 000005